(57)【特許請求の範囲】
【請求項１】
建物の開口に設けられている既設枠と、
前記既設枠に連結部材を介して取り付けられる改装枠と、
前記既設枠と前記連結部材とが連結されている既設側連結部分及び前記改装枠と前記連結部材とが連結されている改装側連結部分を室内空間または室外空間から遮蔽する金属製の遮蔽部材と、
前記遮蔽部材に設けられ加熱されて当該遮蔽部材と前記既設側連結部分及び前記改装側連結部分との間に発泡する加熱発泡材と、
を有することを特徴とする改装窓構造。
【請求項２】
請求項１に記載の改装窓構造であって、
前記遮蔽部材は、前記既設枠、前記改装枠、及び、前記連結部材とともに、室内空間または室外空間から遮蔽される遮蔽空間を形成し、
前記加熱発泡材は、加熱されて前記遮蔽空間内に発泡することを特徴とする改装窓構造。
【請求項３】
請求項１または請求項２に記載の改装窓構造であって、
前記既設枠は、見込み方向に当該既設枠と並ぶ内装材より前記開口の内周側に突出する内周突出部を有し、
前記遮蔽部材は、前記改装枠に固定されて前記既設枠側に延出されており、延出された先端部は前記内周突出部と見込み方向に対向することを特徴とする改装窓構造。
【請求項４】
請求項３に記載の改装窓構造であって、
前記遮蔽部材の延出された前記先端部は、前記内装材と対向する内装材対向部を有し、
前記内装材対向部の端が前記内周突出部と見込み方向において対向することを特徴とする改装窓構造。
【発明の詳細な説明】
【技術分野】
【０００１】
本発明は、既設枠に連結部材を介して取り付けられる改装枠を有する改装窓構造に関する。
【背景技術】
【０００２】
既設枠に連結部材を介して取り付けられる改装枠を有する改装窓構造としては、例えば、既設上枠に下地材を固定し、この下地材にスペーサーを介して改装上枠を固定することにより改装上枠を既設上枠に取り付ける改修サッシを備えた窓構造が知られている（特許文献１参照）。
【先行技術文献】
【特許文献】
【０００３】
【特許文献１】特許５４３５５７２号公報
【発明の概要】
【発明が解決しようとする課題】
【０００４】
上記のような窓構造は、火災等により既設枠に改装枠が取り付けられている部位が火炎に晒されると、取り付けられている既設枠と改装枠との対向する部位に、波打つように変形が生じる虞がある。既設枠と改装枠との間が変形して隙間が生じると、生じた隙間から可燃性ガスや酸素が流出入する虞がある。また、既設枠と改装枠との隙間から火炎が貫通する虞がある。
【０００５】
本発明は、かかる課題に鑑みてなされたものであり、その目的とするところは、火炎に晒されても既設枠と改装枠との連結部分に隙間が生じにくい改装窓構造を提供することにある。
【課題を解決するための手段】
【０００６】
かかる目的を達成するために本発明の改装窓構造は、建物の開口に設けられている既設枠と、前記既設枠に連結部材を介して取り付けられる改装枠と、前記既設枠と前記連結部材とが連結されている既設側連結部分及び前記改装枠と前記連結部材とが連結されている改装側連結部分を室内空間または室外空間から遮蔽する金属製の遮蔽部材と、前記遮蔽部材に設けられ加熱されて当該遮蔽部材と前記既設側連結部分及び前記改装側連結部分との間に発泡する加熱発泡材と、を有することを特徴とする改装窓構造である。
【０００７】
このような改装窓構造によれば、金属製の遮蔽部材により既設側連結部分及び改装側連結部分が、火元となる虞がある室内空間または室外空間から遮蔽されるので、既設側連結部分及び改装側連結部分が直接火炎に晒されることを防止することが可能である。このため、既設枠と改装枠とが対向する部位に波打つような変形が生じる、或いは、隙間が生じることを抑制することが可能である。また、遮蔽部材に設けられた加熱発泡材は、加熱されたときに遮蔽部材と既設側連結部分及び改装側連結部分との間に発泡するので、既設側連結部分及び改装側連結部分の側と室内空間または室外空間とが連通するような隙間が生じることを防止することが可能である。このため、火炎に晒されても既設枠と改装枠との連結部分に隙間が生じにくい改装窓構造を提供することが可能である。
【０００８】
かかる改装窓構造であって、前記遮蔽部材は、前記既設枠、前記改装枠、及び、前記連結部材とともに、室内空間または室外空間から遮蔽される遮蔽空間を形成し、前記加熱発泡材は、加熱されて前記遮蔽空間内に発泡することが望ましい。
【０００９】
このような改装窓構造によれば、遮蔽部材に設けられた加熱発泡材は、既設枠、改装枠、及び、連結部材とともに形成する遮蔽空間内に発泡するので、発泡した加熱発泡材は遮蔽空間内に充満する。このため、既設側連結部分及び改装側連結部分の側と室内空間または室外空間とが連通するような隙間が生じることをより確実に防止することが可能である。
【００１０】
かかる改装窓構造であって、前記既設枠は、見込み方向に当該既設枠と並ぶ内装材より前記開口の内周側に突出する内周突出部を有し、前記遮蔽部材は、前記改装枠に固定されて前記既設枠側に延出されており、延出された先端部は前記内周突出部と見込み方向に対向することが望ましい。
【００１１】
このような改装窓構造によれば、改装枠に固定された遮蔽部材の先端が、既設枠と並ぶ内装材より突出する、既設枠の内周突出部と見込み方向に対向しているので、火炎等に晒されて改装枠に反りが生じる場合であっても、既設枠に遮蔽部材の先端が係合することにより、改装枠の反りの発生を抑えることが可能である。
【００１２】
かかる改装窓構造であって、前記遮蔽部材の延出された前記先端部は、前記内装材と対向する内装材対向部を有し、前記内装材対向部の端が前記内周突出部と見込み方向において対向することが望ましい。
【００１３】
このような改装窓構造によれば、遮蔽部材の延出された先端部に設けられた内装材対向部が内装材と対向して内装材対向部と内装材とが狭い隙間を形成するので、内装材対向部が内装材に固定されていなくとも火炎がより貫通しにくい改装窓構造を提供することが可能である。また、見込み方向に沿う内装材対向部の端が内周突出部と見込み方向において対向するので、遮蔽部材をより剛性が高くなる方向で既設枠に係合させることが可能である。このため、改装枠の反りの発生をより確実に抑えることが可能である。
【発明の効果】
【００１４】
本発明によれば、火炎に晒されても既設枠と改装枠との連結部分に隙間が生じにくい改装窓構造を提供することが可能である。
【図面の簡単な説明】
【００１５】
【図１】本実施形態に係る改装用建具を示す縦断面図である。
【図２】本実施形態に係る改装用建具を示す横断面図である。
【図３】図１におけるＡ部の拡大図である。
【図４】図１におけるＢ部の拡大図である。
【図５】図２におけるＣ部の拡大図である。
【発明を実施するための形態】
【００１６】
以下、本発明の一実施形態に係る改装窓構造について図面を参照して説明する。
本実施形態の改装窓構造は、図１、図２に示すように建物等に設けられていた既設建具の枠体（以下、既設枠という）２の内周側に、内倒し窓用の改装用建具１が新たに設けられている。
【００１７】
以下の説明においては、建物等に取り付けられた状態の既設枠２及び改装用建具１を室内側から見たときに、上下となる方向を上下方向、左右となる方向を左右方向、室内外方向である奥行き方向を見込み方向として示す。既設枠２及び改装用建具１の各部位であっても、また、既設枠２及び改装用建具１を構成する各部材については単体の状態であっても、建物等に取り付けられた状態にて上下方向、左右方向、見込み方向となる方向にて方向を特定して説明する。また、既設枠２及び改装用建具１が備える改装枠３はいずれも矩形状に枠組みされているので、矩形の内側を内周側、外側を外周側として説明する。
【００１８】
既設枠２は、既設上枠２１、既設下枠２２、及び、左右の既設縦枠２３を有している。
既設上枠２１、及び、既設縦枠２３は各々、アルミニウム製の押出成形材でなり断面形状が矩形状をなし、図示しない躯体にビス止めされている。
【００１９】
既設上枠２１は、図３に示すように、見込み方向において対向する一対の既設上壁部２１１と、一対の既設上壁部２１１の下端を繋ぐ既設下面部２１２と、を有している。また、既設上枠２１は、当該既設上枠２１と見込み方向に並び、建物の開口５を形成する外壁材６及び内装材７より内周側に突出する内周突出部としての既設上枠突出部２１ａを有している。
【００２０】
既設縦枠２３は、図５に示すように、見込み方向において対向する一対の既設縦壁部２３１と、一対の既設縦壁部２３１の内周側の端を繋ぐ既設側面部２３２と、を有している。  また、既設縦枠２３は、当該既設縦枠２３と見込み方向に並び、建物の開口５を形成する外壁材６及び内装材７より内周側に突出する内周突出部としての既設縦枠突出部２３ａを有している。
【００２１】
既設下枠２２は、図４に示すように、アルミニウム製の押出成形材でなり断面形状が矩形状をなす既設下枠本体部２２１が、図示しない躯体にビス止めされており、矩形状をなす既設下枠本体部２２１の室内側の上縁から上方に延出された既設下延出壁部２２２を備えている。既設下枠本体部２２１は、見込み方向において対向する一対の既設下壁部２２１ａと、一対の既設下壁部２２１ａの上端を繋ぐ既設上面部２２１ｂと、を有している。
また、既設下枠２２は、当該既設下枠２２と見込み方向に並び、建物の開口５を形成する内装材７より内周側に突出する既設下延出壁部２２２が内周突出部をなしている。
【００２２】
改装用建具１は、既設枠２の内周側に取り付けられる改装枠３と、改装枠３に回動自在に支持される障子８と、を有している。
改装枠３は、改装上枠３１、改装下枠３２、及び、左右の改装縦枠３３を有している。改装上枠３１、改装下枠３２、及び、改装縦枠３３は各々、アルミニウム製の押出成形材で形成されている。
【００２３】
改装上枠３１は、図３に示すように、見込み方向に沿う見込み面を形成する上枠見込み面部３１ａと、上枠見込み面部３１ａの室外側の端から上方に延出されて室外に臨む壁部をなす上室外壁部３１ｂと、上室外壁部３１ｂの上端から延出されて既設上枠２１側に固定される上室外側固定部３１ｃと、上枠見込み面部３１ａの室内側の端から上方に延出されて室内に臨む壁部をなす上室内壁部３１ｄと、上室外壁部３１ｂから垂設されて障子８の上端部が当接される上障子当接部３１ｅ（図１）とを有している。
【００２４】
改装下枠３２は、上方に突出し障子８が支持される障子支持部３２ａ（図１）と、障子支持部３２ａと繋がって室外に臨む壁部をなす下室外壁部３２ｂと、下室外壁部３２ｂの下端から延出されて既設下枠２２側に固定される下室外側固定部３２ｃと、障子支持部３２ａと繋がって室内に臨む壁部をなす下室内壁部３２ｄとを有している。
【００２５】
左右の改装縦枠３３は、互いに左右が反転した対称の形状をなしている。このため、ここでは右の改装縦枠３３を例に挙げて説明する。改装縦枠３３は、図５に示すように、見込み方向に沿う壁部をなす縦枠壁部３３ａと、縦枠壁部３３ａの室外側の端から右側方に延出されて室外に臨む壁部をなす縦室外壁部３３ｂと、縦室外壁部３３ｂの右側の端から延出されて既設縦枠２３側に固定される縦室外側固定部３３ｃと、縦枠壁部３３ａの室内側の端から右側方に延出されて室内に臨む壁部をなす縦室内壁部３３ｄと、縦室外壁部３３ｂから延出されて障子８の側端部が当接される縦障子当接部３３ｅ（図１）とを有している。
【００２６】
既設上枠２１と改装上枠３１、既設下枠２２と改装下枠３２、左右の既設縦枠２３と左右の改装縦枠３３とは、それぞれ２つの連結部材９を介して連結されている。
【００２７】
連結部材９は、いずれも２つの板部がＬ字状をなすように形成されたステンレス製の部材であり、２つの板部の一方は、既設枠２側に固定される既設側固定部９ａであり、他方は、改装枠３側に固定される改装側固定部９ｂである。
【００２８】
図３に示すように、既設上枠２１と改装上枠３１とは、室外側と室内側とにてそれぞれ連結部材９により取り付けられている。室外側に配置された連結部材９は、既設側固定部９ａが、一対の既設上壁部２１１の下端を繋ぐ既設下面部２１２の室外側の部位にビス止めされており、改装側固定部９ｂが上室外側固定部３１ｃの室内側に当接されてビス止めされている。このため、既設側固定部９ａと既設下面部２１２の室外側の部位とが連結されている部分が既設側連結部分に相当し、改装側固定部９ｂと上室外側固定部３１ｃとが連結されている部分が改装側連結部分に相当する。
【００２９】
室内側に配置された連結部材９は、既設側固定部９ａが、既設下面部２１２の室内側の部位にビス止めされており、改装側固定部９ｂが上室内壁部３１ｄの室内側に当接されてビス止めされている。このため、既設側固定部９ａと既設下面部２１２の室内側の部位とが連結されている部分が改装側連結部分に相当し、改装側固定部９ｂと上室内壁部３１ｄとが連結されている部分が改装側連結部分に相当する。
【００３０】
図４に示すように、既設下枠２２と改装下枠３２とは、室外側と室内側とにてそれぞれ連結部材９により取り付けられている。室外側に配置された連結部材９は、既設側固定部９ａが、既設上面部２２１ｂの室外側の部位にビス止めされており、改装側固定部９ｂが下室外側固定部３２ｃの室内側に当接されてビス止めされている。このため、既設側固定部９ａと既設上面部２２１ｂの室外側の部位とが連結されている部分が既設側連結部分に相当し、改装側固定部９ｂと下室外側固定部３２ｃとが連結されている部分が改装側連結部分に相当する。
【００３１】
室内側に配置された連結部材９は、既設側固定部９ａが、既設上面部２２１ｂの室内側の部位にビス止めされており、改装側固定部９ｂが下室内壁部３２ｄの室内側に当接されてビス止めされている。このため、既設側固定部９ａと既設上面部２２１ｂの室内側の部位とが連結されている部分が既設側連結部分に相当し、改装側固定部９ｂと下室内壁部３２ｄとが連結されている部分が改装側連結部分に相当する。
【００３２】
図５に示すように、既設縦枠２３と改装縦枠３３とは、室外側と室内側とにてそれぞれ連結部材９により取り付けられている。室外側に配置された連結部材９は、既設側固定部９ａが、一対の既設縦壁部２３１の内周側の端を繋ぐ既設側面部２３２の室外側の部位にビス止めされており、改装側固定部９ｂが縦室外側固定部３３ｃの室内側に当接されてビス止めされている。このため、既設側固定部９ａと既設側面部２３２の室外側の部位とが連結されている部分が既設側連結部分に相当し、改装側固定部９ｂと縦室外側固定部３３ｃとが連結されている部分が改装側連結部分に相当する。
【００３３】
室内側に配置された連結部材９は、既設側固定部９ａが、既設縦面部２３２の室内側の部位にビス止めされており、改装側固定部９ｂが縦室内壁部３３ｄの室内側に当接されてビス止めされている。このため、既設側固定部９ａと既設縦面部２３２の室内側の部位とが連結されている部分が既設側連結部分に相当し、改装側固定部９ｂと縦室内壁部３３ｄとが連結されている部分が改装側連結部分に相当する。
【００３４】
連結部材９を介して改装枠３が既設枠２に取り付けられた状態で、室内側には、既設側連結部分と改装側連結部分を室内空間から遮蔽する、ステンレスなどの金属製の遮蔽部材１０が設けられている。
【００３５】
既設上枠２１と改装上枠３１との間、既設下枠２２と改装下枠３２との間、及び、既設縦枠２３と改装縦枠３３との間における既設側連結部分及び改装側連結部分を室内空間から遮蔽する遮蔽部材１０は、ほぼ同形状をなしている。
【００３６】
具体的には、改装上枠３１の上室内壁部３１ｄ、改装下枠３２の下室内壁部３２ｄ、及び、改装縦枠３３の縦室内壁部３３ｄに固定される改装枠固定部１０ａと、改装枠固定部１０ａの外周側の端から室内側に延出された室内遮蔽延出部１０ｂと、室内遮蔽延出部１０ｂの室内側の端から外周側に延出された外周側延出壁部１０ｃと、外周側延出壁部１０ｃの外周側の端部から室外側に延出された室外遮蔽延出部１０ｄとを有している。
【００３７】
改装枠固定部１０ａは、上室内壁部３１ｄ、下室内壁部３２ｄ、及び、縦室内壁部３３ｄに固定されている連結部材９の改装側固定部９ｂより内周側に位置しており、室内遮蔽延出部１０ｂは、改装側固定部９ｂの内周側の端部と近接している。外周側延出壁部１０ｃは、上室内壁部３１ｄ、下室内壁部３２ｄ、縦室内壁部３３ｄ、及び、改装側固定部９ｂと見込み方向に間隔を隔てて対向している。また、室外遮蔽延出部１０ｄは、見込み方向に沿う面が、開口５を形成する内装材７と近接して対向し、室外側に延出された先端は、既設上枠突出部２１ａ、既設下延出壁部２２２、及び、既設縦枠突出部２３ａと対向している。ここで、室外遮蔽延出部１０ｄが内装材対向部に相当する。
【００３８】
そして、既設上枠２１と改装上枠３１との連結部分の室内側には、既設上枠２１と、改装上枠３１と、連結部材９と、遮蔽部材１０により室内空間から遮蔽される遮蔽空間Ｓが形成されており、既設下枠２２と改装下枠３２との連結部分の室内側には、既設下枠２２と、改装下枠３２と、連結部材９と、遮蔽部材１０により室内空間から遮蔽される遮蔽空間Ｓが形成されており、既設縦枠２３と改装縦枠３３との連結部分の室内側には、既設縦枠２３と、改装縦枠３３と、連結部材９と、遮蔽部材１０により室内空間から遮蔽される遮蔽空間Ｓが形成されている。
【００３９】
各遮蔽部材１０には、遮蔽空間Ｓに臨む面に、加熱されて発泡する加熱発泡材としての熱膨張性黒鉛１１がそれぞれ設けられている。本実施形態においては、遮蔽部材１０の室内遮蔽延出部１０ｂにおける外周側の面に熱膨張性黒鉛１１が貼り付けられており、加熱された際には外周側に膨出する。そして、既設縦枠２３と、改装縦枠３３と、連結部材９と、遮蔽部材１０により囲まれた遮蔽空間Ｓ内にて発泡して遮蔽空間Ｓ内に充満するように構成されている。
【００４０】
本実施形態の改装窓構造によれば、既設側連結部分及び改装側連結部分が、火元となる虞がある室内空間から金属製の遮蔽部材１０により遮蔽されるので、既設側連結部分及び改装側連結部分が直接火炎に晒されることを防止することが可能である。また、遮蔽部材１０に設けられた熱膨張性黒鉛１１は、加熱されたときに遮蔽部材１０と既設側連結部分及び改装側連結部分との間に発泡するので、既設側連結部分及び改装側連結部分側と室内空間とが連通するような隙間が生じることを防止することが可能である。このため、火炎に晒されても既設枠２と改装枠３との既設側連結部分及び改装側連結部分に隙間が生じにくい改装窓構造を提供することが可能である。
【００４１】
また、遮蔽部材１０に設けられた熱膨張性黒鉛１１は、既設枠２、改装枠３、及び、連結部材９とともに形成する遮蔽空間Ｓ内に発泡するので、発泡した熱膨張性黒鉛１１は遮蔽空間Ｓ内に充満する。このため、既設側連結部分及び改装側連結部分側と室内空間とが連通するような隙間が生じることをより確実に防止することが可能である。このため、遮蔽部材１０と、既設枠２と、改装枠３と、連結部材９とにより形成される遮蔽空間Ｓは、発泡した熱膨張性黒鉛１１が充満する程度の大きさをなしており、必ずしも完全に閉塞された空間でなくとも良い。
【００４２】
また、改装枠３に固定された遮蔽部材１０が有する室外遮蔽延出部１０ｄの先端が、既設枠２の既設上枠突出部２１ａ、既設下延出壁部２２２、既設縦枠突出部２３ａと見込み方向に対向しているので、火炎等に晒されて改装枠３に反りが生じる場合であっても、既設枠３３に遮蔽部材１０が有する室外遮蔽延出部１０ｄの先端が係合することにより、改装枠３の反りの発生を抑えることが可能である。
【００４３】
また、遮蔽部材１０の延出された先端部に設けられた室外遮蔽延出部１０ｄが内装材７と対向して室外遮蔽延出部１０ｄと内装材７とが狭い隙間を形成するので、室外遮蔽延出部１０ｄが内装材７に固定されていなくとも火炎がより貫通しにくい改装窓構造を提供することが可能である。また、見込み方向に沿う室外遮蔽延出部１０ｄの室外側の端が既設上枠突出部２１ａ、既設下延出壁部２２２、既設縦枠突出部２３ａと見込み方向において対向するので、遮蔽部材１０をより剛性が高くなる方向で既設枠２に係合させることが可能である。このため、改装枠３の反りの発生をより確実に抑えることが可能である。
【００４４】
上記実施形態においては、遮蔽部材１０の先端部に、内装材７と近接して対向する室外遮蔽延出部１０ｄが設けられている例について説明したが、室外遮蔽延出部１０ｄは必ずしも設けられていなくとも構わず、たとえば、外周側に延出された外周側延出壁部１０ｃの先端部が、既設上枠突出部２１ａ、既設下延出壁部２２２、及び、既設縦枠突出部２３ａと見込み方向に対向している構成であっても構わない。このため、遮蔽部材１０は、既設側連結部分及び改装側連結部分側を室内空間から遮蔽する壁部を形成する部材であれば、必ずしも、区画される遮蔽空間Ｓを形成する構成でなくとも構わない。
【００４５】
上記実施形態においては、遮蔽部材１０を室内側に設けた例について説明したが、遮蔽部材は室外側に設けられて、既設側連結部分及び改装側連結部分を室外空間から遮蔽する構成であっても構わない。
【００４６】
上記実施形態においては、改装用建具１の一例として、内倒し窓用の改装用建具１を例に挙げて説明したが、例えば、引き違い窓用の改装用縦部、開き窓用の改装用建具、辷出し窓用の改装用建具、嵌め殺し窓用の改装用建具などであっても構わない。
【００４７】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４８】
１  改装用建具、２  既設枠、３  改装枠、５  開口、７  内装材、
９  連結部材、９ａ  既設側固定部、９ｂ  改装側固定部、１０  遮蔽部材、
１０ｃ  外周側延出壁部、１０ｄ  室外遮蔽延出部、１１  熱膨張性黒鉛、
２１ａ  既設上枠突出部、２２ａ  既設下枠突出部、２３ａ  既設縦枠突出部、
３１ｃ  上室外側固定部、３１ｄ  上室内壁部、３２ｃ  下室外側固定部、
３２ｄ  下室内壁部、３３ｃ  縦室外側固定部、３３ｄ  縦室内壁部、
２１２  既設下面部、２２１ｂ  既設上面部、２３２  既設側面部、
Ｓ  遮蔽空間、
【図１】
0006584970.tif 000002
【図２】
0006584970.tif 000003
【図３】
0006584970.tif 000004
【図４】
0006584970.tif 000005
【図５】
0006584970.tif 000006